(57)【要約】【課題】消費電力削減の観点から、メインマイコンの他にスタンバイマイコンを備えた投射型表示装置において、本スタンバイマイコンのみ動作する省電力スタンバイモードでは、ネットワーク機能や２３２Ｃ機能を全て利用できなかった。このため、当該機能を利用する場合には、パワーオンして、メインマイコンを起動させ、ＯＳＤメニューで省電力スタンバイモードからノーマルスタンバイモードに切換えなければならなかった。【解決手段】本発明は、投射型表示装置において、省電力スタンバイモード時にネットワーク機能や２３２Ｃ機能を利用したい場合、ランプは点灯せずにメインマイコンを動作させるノーマルスタンバイモードへの切り替えコマンドを追加した。【選択図】図１
2010178249.tif 000002
【特許請求の範囲】
【請求項１】
スクリーンに画像を投射表示する投射型表示装置において、前記投射型表示装置全般の機能を制御するメインマイコンと、前記投射型表示装置の一部の機能を制御するスタンバイマイコンを有し、前記スタンバイマイコンは、外部機器からのスタンバイモード切り替えコマンドにより、前記スタンバイマイコンのみ動作しネットワーク機能などの通信機能が制限される省電力スタンバイモードと、前記スタンバイマイコンと前記メインマイコンの両方が動作し前記ネットワーク機能などの通信機能が制限されないノーマルスタンバイモードとを、切り替えることを特徴とする投射型表示装置。
【請求項２】
請求項１の投射型表示装置において、スタンバイマイコンは、外部機器からの省電力スタンバイモード一時解除コマンドにより、省電力スタンバイモードから一定時間だけノーマルスタンバイモードに切り替え、その後、前記省電力スタンバイモードに切り替えることを特徴とする投射型表示装置。
【請求項３】
請求項１の投射型表示装置において、スタンバイＬＥＤを設け、スタンバイマイコンは、ノーマルスタンバイモードにおいて、前記スタンバイＬＥＤを点滅または点灯させることを特徴とする投射型表示装置。
【請求項４】
請求項２の投射型表示装置において、省電力スタンバイモード一時解除コマンドは、解除期間を指定可能なパラメーターを付与できる通信コマンドであることを特徴とする投射型表示装置。
【発明の詳細な説明】
【技術分野】
【０００１】
本発明は、プロジェクタ等の投射型表示装置に係り、特に消費電力削減の観点から、メインマイコンの他に、スタンバイマイコンを備えた投射型表示装置に関するものである。
【背景技術】
【０００２】
近年、ホームシアタから商用までさまざまなシーンでプロジェクタ等の投射型表示装置が使用されている。投射型表示装置がネットワーク機能の充実など、ますます高機能化し、さらにランプの輝度が上がるなど、高性能化してきたことに帰する部分はある。その一方で、ユーザーの環境問題への関心への高まりや、経済性の追求から省電力な投射型表示装置へのニーズが高まってきている。そのため、省電力をうたった投射型表示装置の開発が進んでいる。
【０００３】
しかし、省電力機能を入れることで省電力状態からの復帰に時間がかかり、起動が遅くなるなどの課題が発生する。特許文献１では、プロジェクタの動作状態が、通常表示状態から、画像信号が入力されない無入力状態となって省電力動作状態に移行した場合において、再び画像信号が入力される有入力状態となったときに、装置を再起動させることなく通常表示状態に速やかに復帰させるという発明が提案されている。
【０００４】
また、特許文献２では、供給される信号に含まれる画像信号の表す画像の表示状態に応じて、投写画像の表示の明るさを調整可能なプロジェクタは、照明光を射出する光源ランプと、供給される前記画像信号に基づいて表示画像信号を生成する画像信号処理部と、生成された前記表示画像信号に応じて前記照明光を変調する光変調デバイスと、前記光変調デバイスによって変調された光を投写する投写部と、前記画像信号の表す画像の表示状態を検出する表示状態検出部と、検出された前記表示状態に応じて、前記光源ランプから射出される前記照明光の明るさを制御する明るさ制御部を備えるという発明が提案されている。
【０００５】
以上は、ランプ点灯状態での省電力化に対する課題の解決である。最近ではランプが不点灯状態、すなわちスタンバイ状態での省電力機能を搭載した投射型表示装置の開発が行われている。ひとつの手段として、メインマイコンの他にスタンバイマイコンを備えて、スタンバイ中はメインマイコンの電源を停止するというものがある。こうするとスタンバイ中にネットワーク通信などの機能が制限されるため、スタンバイモード切り替え機能が備わっている投射型表示装置が存在する。スタンバイモード切り替え機能とは、スタンバイ時にスタンバイマイコンのみ動作し、ネットワーク機能などの通信機能が制限される省電力スタンバイモードと、メインマイコンとスタンバイマイコンの両方が動作し、ネットワーク機能などの通信機能が制限されないノーマルスタンバイモードを切り替える機能である。
【特許文献１】特開２００３−３３０１１５号公報
【特許文献２】特開２００２−２２９１２４号公報
【発明の開示】
【発明が解決しようとする課題】
【０００６】
省電力スタンバイモードにおいて、もしもユーザーがネットワーク通信などの機能を一時的に使用したい場合には、パワーオンしてメインマイコンを起動させ、ＯＳＤメニューで省電力スタンバイモードからノーマルスタンバイモードにスタンバイモードを切り替える必要があった。このやりかたは、省電力の観点から好ましくない。また、時間がかかってしまうため、ユーザーのストレスにつながる恐れがある。
【課題を解決するための手段】
【０００７】
上記課題を解決するために、スクリーンに画像を投射表示する投射型表示装置において、前記投射型表示装置全般の機能を制御するメインマイコンと、前記投射型表示装置の一部の機能を制御するスタンバイマイコンを有し、前記スタンバイマイコンは、外部機器からのスタンバイモード切り替えコマンドにより、前記スタンバイマイコンのみ動作しネットワーク機能などの通信機能が制限される省電力スタンバイモードと、前記スタンバイマイコンと前記メインマイコンの両方が動作し前記ネットワーク機能などの通信機能が制限されないノーマルスタンバイモードとを、切り替えることを特徴とするものである。
【０００８】
また、  前記投射型表示装置において、スタンバイマイコンは、外部機器からの省電力スタンバイモード一時解除コマンドにより、省電力スタンバイモードから一定時間だけノーマルスタンバイモードに切り替え、その後、前記省電力スタンバイモードに切り替えることを特徴とするものである。
【０００９】
また、前記投射型表示装置において、スタンバイＬＥＤを設け、スタンバイマイコンは、ノーマルスタンバイモードにおいて、前記スタンバイＬＥＤを点滅または点灯させることを特徴とするものである。
【００１０】
また、前記投射型表示装置において、省電力スタンバイモード一時解除コマンドは、解除期間を指定可能なパラメーターを付与できる通信コマンドであることを特徴とするものである。
【発明の効果】
【００１１】
本発明は、パワーオンしなくてもスタンバイモードの切り替えが可能になり、実使用においてより省電力化が期待できる。また、時間をかけずにスタンバイモードの切り替えを可能にするため、ユーザーのストレス軽減が期待できる。また、一定時間後に元のスタンバイモードに戻るため、設定値の戻し忘れを防ぐことができる。
【発明を実施するための最良の形態】
【００１２】
以下、本発明の実施の形態について、図面を参照しながら説明する。
【００１３】
（実施の形態１）
図１は本発明の投射型表示装置の一実施の形態のプロジェクタの構成を示すブロック図を示している。図２は、スタンバイモード切り替えＯＳＤメニューの一例を示す図である。
【００１４】
図１において、プロジェクタ１０は、前記プロジェクタ１０の制御全般を担うメインマイコン１００と、コンピュータなどの外部接続機器２０と通信し、スタンバイ時のメインマイコン１００への電源供給の切換制御を行うスタンバイマイコン１０１とから構成される。
【００１５】
以上のように構成されたプロジェクタにおいて、以下その動作を説明する。
【００１６】
ユーザーが主電源オンや、シャットダウンするなどしてスタンバイ状態になった場合、スタンバイマイコン１０１は、図２のようなスタンバイモード切り替えＯＳＤメニュー３０などからユーザーが設定したスタンバイモードが省電力スタンバイモード３０１か判断する。もしも、スタンバイモードが省電力スタンバイモード３０１であれば、スタンバイマイコン１０１は、メインマイコン１００への電源供給を停止する。省電力スタンバイモードにおいて、もしもユーザーがネットワーク通信など省電力スタンバイモードにおいて制限されている機能を使う場合は、外部接続機器２０からプロジェクタ１０にスタンバイモード切り替えコマンドを送信することができる。スタンバイマイコン１０１は、スタンバイモード切り替えコマンドを受信したら、メインマイコン１００への電源供給を許可する。
【００１７】
また、外部接続機器２０からプロジェクタ１０に省電力スタンバイモード一時解除コマンドを送信することもできる。スタンバイマイコン１０１は、省電力スタンバイモード一時解除コマンドを受信したら、メインマイコン１００への電源供給を許可する。スタンバイマイコン１０１は、メインマイコン１００の電源供給を許可してから一定時間経過したら、メインマイコン１００への電源供給を停止する。
【００１８】
図３、図４は、実施の形態１をより詳細に説明するためのブロック図の一例を示している。
【００１９】
図３において、プロジェクタ１０は、前記プロジェクタ１０の制御全般を担うメインマイコン１００と、コンピュータなどの外部接続機器２０と通信し、スタンバイ時のメインマイコン１００への電源供給の切換制御を行うスタンバイマイコン１０１と、メインマイコンへの電源を供給するＡ電源１０３と、サブマイコンへの電源を供給するＢ電源１０４と、Ａ電源の出力を制御するＡ電源切換スイッチ１０５と、スタンバイモードの設定値を格納するメモリ１０６とから構成される。
【００２０】
以上のように構成されたプロジェクタにおいて、以下その動作を説明する。
【００２１】
ユーザーが主電源オンや、シャットダウンするなどしてスタンバイ状態になった場合、スタンバイマイコン１０１はメモリ１０６に格納されているスタンバイモードの設定値が省電力スタンバイモードであるか判断する。もしも、スタンバイモードが省電力スタンバイモードであれば、スタンバイマイコン１０１はＡ電源切換スイッチ１０５を切り、メインマイコン１００への電源供給を停止する。省電力スタンバイモードにおいて、もしもユーザーがネットワーク通信など省電力スタンバイモードにおいて制限されている機能を使う場合は、外部接続機器２０からプロジェクタ１０にスタンバイモード切り替えコマンドを送信することができる。
【００２２】
スタンバイマイコン１０１は、スタンバイモード切り替えコマンドを受信したら、Ａ電源切換スイッチ１０５を入れてメインマイコン１００への電源供給を許可し、メモリ１０６にスタンバイモードの設定値がノーマルスタンバイモード３００であるという情報を格納する。一方、スタンバイマイコン１０１は、省電力スタンバイモード一時解除コマンドを受信したら、Ａ電源切換スイッチ１０５を入れてメインマイコン１００への電源供給を許可するが、メモリ１０６にスタンバイモードの設定値の変更を行わず、一定時間経過したら、Ａ電源切換スイッチ１０５を切り、メインマイコン１００への電源供給を停止する。
【００２３】
図４において、プロジェクタ１０は、前記プロジェクタ１０の制御全般を担うメインマイコン１００と、ネットワーク通信機能を担うネットワークマイコン１０９と、スタンバイ時のメインマイコン１００とネットワークマイコン１０９への電源供給の切換制御を行うスタンバイマイコン１０１と、メインマイコンへの電源を供給するＡ電源１０３と、ネットワークマイコン１０９への電源を供給するＣ電源１０７と、スタンバイマイコンへの電源を供給するＢ電源１０４と、Ａ電源の出力を制御するＡ電源切換スイッチ１０５と、Ｃ電源の出力を制御するＣ電源切換スイッチ１０８と、スタンバイモードの設定値を格納するメモリ１０６とから構成される。
【００２４】
以上のように構成されたプロジェクタにおいて、以下その動作を説明する。
【００２５】
ユーザーが主電源オンや、シャットダウンするなどしてスタンバイ状態になった場合、スタンバイマイコン１０１は、メインマイコン１００からメモリ１０６に格納されているスタンバイモードの設定値を通知してもらい、省電力スタンバイモードであるか判断する。
【００２６】
もしも、スタンバイモードが省電力スタンバイモードであれば、スタンバイマイコン１０１はＡ電源切換スイッチ１０５を切り、メインマイコン１００への電源供給を停止し、Ｃ電源切換スイッチ１０８を切り、ネットワークマイコン１０９への電源供給を停止する。もしもユーザーがネットワーク通信など省電力スタンバイモードにおいて制限されている機能を使う場合は、外部接続機器２０からプロジェクタ１０にスタンバイモード切り替えコマンドを送信することができる。
【００２７】
スタンバイマイコン１０１は、スタンバイモード切り替えコマンドを受信したら、A電源切換スイッチ１０５を入れてメインマイコン１００への電源供給を許可し、C電源切換スイッチ１０８を入れてネットワークマイコン１０９への電源供給を許可し、メインマイコン１００へスタンバイモードの設定値が省電力スタンバイモードに切り替わったという情報を通知する。メインマイコン１００は、メモリ１０６にスタンバイモードの設定値が省電力スタンバイモードであるという情報を格納する。
【００２８】
一方、スタンバイマイコン１０１は、スタンバイモード切り替えコマンドを受信したら、Ａ電源切換スイッチ１０５を入れてメインマイコン１００への電源供給を許可し、Ｃ電源切換スイッチ１０８を入れてネットワークマイコン１０９への電源供給を許可するが、メインマイコン１００へスタンバイモードの設定値の変更の通知を行わず、一定時間経過したら、Ａ電源切換スイッチ１０５を切り、メインマイコン１００への電源供給を停止し、Ｃ電源切換スイッチ１０８を切ってネットワークマイコン１０９への電源供給を停止する。
【００２９】
（実施の形態２）
図５は本発明の投射型表示装置の一実施の形態のプロジェクタの構成を示すブロック図を示している。
【００３０】
図５において、プロジェクタ１０は、前記プロジェクタ１０の制御全般を担うメインマイコン１００と、スタンバイ時のメインマイコン１００への電源供給の切換制御を行うスタンバイマイコン１０１と、スタンバイモードの状態を知らせるスタンバイＬＥＤ１０２から構成される。
【００３１】
以上のように構成されたプロジェクタにおいて、以下その動作を説明する。
【００３２】
ユーザーが主電源オンや、シャットダウンするなどしてスタンバイ状態になった場合、スタンバイマイコン１０１は、図２のようなスタンバイモード切り替えＯＳＤメニューなどからユーザーが設定したスタンバイモードの設定値に応じて、メインマイコン１００の電源供給を判断する。そして、スタンバイモードの設定値に応じてスタンバイＬＥＤ１０２の点滅または、点灯のパターンを切り替えることができる。
【産業上の利用可能性】
【００３３】
本発明にかかるスタンバイモード切り替えコマンドは、マイコンを複数もち、スタンバイ中の機能を制限して省電力を達成する機能を持つ全ての電子機器に流用可能である。
【図面の簡単な説明】
【００３４】
【図１】本発明の実施形態１の構成を示すブロック図
【図２】スタンバイモード切り替えＯＳＤメニューの一例を示す図
【図３】本発明の実施形態1の構成をさらに詳細に示すブロック図
【図４】本発明の実施形態1の構成をさらに詳細に示すブロック図
【図５】本発明の実施形態２の構成を示すブロック図
【符号の説明】
【００３５】
１０  プロジェクタ
２０  外部接続機器
３０  スタンバイモード切り替えＯＳＤメニュー
１００  メインマイコン
１０１  スタンバイマイコン
１０２  スタンバイＬＥＤ
１０３  Ａ電源
１０４  Ｂ電源
１０５  Ａ電源切換スイッチ
１０６  メモリ
１０７  Ｃ電源
１０８  Ｃ電源切換スイッチ
１０９  ネットワークマイコン
３００  ノーマルスタンバイモード
３０１  省電力スタンバイモード
【図１】
2010178249.tif 000003
【図２】
2010178249.tif 000004
【図３】
2010178249.tif 000005
【図４】
2010178249.tif 000006
【図５】
2010178249.tif 000007